(57)【要約】【課題】  チューナのチューニング用の電源電圧を供給するための回路の簡素化によるコストの低減及び省電力化の図られたＣＲＴ表示装置の提供。【解決手段】  垂直偏向用ＩＣ２０に備えられるポンプアップ回路２０ａの出力電圧を、平滑回路２２０により平滑化し、定電圧回路２３０によって所定の電圧とすることにより、チューナ１０２のチューニング用の電源電圧として使用することで、チューナのチューニング用の電源電圧を供給するための回路の簡素化及び装置の省電力化を図る。【選択図】  図２
2006203394.tif 000002
【特許請求の範囲】
【請求項１】
映像を表示するブラウン管と、当該ブラウン管に備えられる垂直偏向コイルへのこぎり波電流を供給する垂直偏向回路と、各周波数の映像信号を受信するチューナとを備えるＣＲＴ表示装置であって、前記チューナのチューニング用電源に、前記垂直偏向回路に備えられるポンプアップ回路の出力電圧を使用したことを特徴とするＣＲＴ表示装置。
【請求項２】
前記垂直偏向回路に備えられる前記ポンプアップ回路の出力端子から出力されるパルス状の電圧を、逆流防止回路によって逆流を防止した上で、平滑回路によって平滑化しさらに定電圧回路によって所定の電圧とし、前記チューナのチューニング用電源として使用することを特徴とする請求項１記載のＣＲＴ表示装置。
【請求項３】
前記垂直偏向回路に備えられる前記ポンプアップ回路の出力端子に前記逆流防止回路となるダイオードのアノードを接続し、当該ダイオードのカソードに、コンデンサの一端がグランドに接続されることによって構成された前記平滑回路の前記コンデンサの他端を接続し、前記ダイオードのカソードに、抵抗を接続し、当該抵抗の他端に、ツェナーダイオードのアノードがグランドに接続されることによって構成された前記定電圧回路の前記ツェナーダイオードのカソードを接続し、当該ツェナーダイオードのカソードと前記チューナのチューニング用電源端子を接続したことを特徴とする請求項２記載のＣＲＴ表示装置。
【発明の詳細な説明】
【技術分野】
【０００１】
本発明は、ＣＲＴ表示装置に関し、特に、チューナのチューニング用電源供給について考慮されたＣＲＴ表示装置に関する。
【背景技術】
【０００２】
テレビジョン受像機には、テレビジョン放送信号を受信するチューナが備えられ、当該チューナは、メイン電源の他にチューニング用の電源（チューナ回路のチューニング電圧）を必要とする。当該チューナへのチューニング電圧の供給に関する従来技術が特許文献１〜特許文献２などによって開示されている。
【０００３】
【特許文献１】特開平７−２１２６７７号公報
【特許文献２】実用新案登録第３１０１９５０号公報
【発明の開示】
【発明が解決しようとする課題】
【０００４】
従来、チューナのチューニング用の電源電圧の供給方法は、装置全体への電源供給を行うスイッチング電源回路に備えられるスイッチングトランスにチューニング電源供給用の巻線を設けて供給させる方法や、同スイッチングトランスに設けられる水平偏向回路への電源供給用の巻線から得られる電圧を所定の電圧に落として供給させる方法や、垂直偏向回路への電源供給用の巻線（前記スイッチングトランスやフライバックトランスなどに設けられる）から得られる電圧を所定の電圧とした上で供給させる方法（特許文献１に記載）や、フライバックトランスにチューニング電源供給用の巻線を設けて供給させる方法（特許文献２に記載）などがある。
【０００５】
トランス（電源スイッチングトランスやフライバックトランス）にチューニング電圧供給用の専用の巻線を設ける方法の場合は、トランスに専用巻線を設ける必要があるためコストアップになる（専用巻線が付加されるためトランス自体の汎用性が無くなることもコストアップの一因となる）ものであった。一方、水平偏向回路への電源供給用の巻線から得られる電圧を所定の電圧に落として供給させる方法の場合は、水平偏向回路へ供給される電圧が１３０Ｖ程度であり、チューニング電圧は３０Ｖ程度であるのが一般的であるため、１３０Ｖ程度の電圧を３０Ｖ程度にまで落とす必要があり、ここでの損失が多くなるため省電力化という面では好ましいものではなかった。加えて、装置の省電力化のために装置のスタンバイ状態においてチューナへの電力供給を停止させるようにする場合には、電源供給のオン／オフを切り替えるスイッチを設ける必要があり、１３０Ｖのラインにスイッチング素子を設けると、耐圧の高い（コストの高い）スイッチング素子を必要とするため、装置のコストアップに繋がるものであった。
【０００６】
また、垂直偏向回路への電源供給用の巻線から得られる電圧を所定の電圧として供給させる方法の場合、垂直偏向回路の電源が２５Ｖ程度であるのが一般的であるため、チューニング電圧である３０Ｖ程度にまで昇圧する必要があり、装置のコストアップに繋がる（一般に、電圧を落とすのに比べ電圧を上げるのは難しく、昇圧のための回路はコストも高いため）ものであった。
【０００７】
本発明は上述した点に鑑み、チューナのチューニング用の電源電圧を供給するための回路の簡素化によるコストの低減及び省電力化の図られたＣＲＴ表示装置を提供することを目的とする。
【課題を解決するための手段】
【０００８】
請求項１のＣＲＴ表示装置は、映像を表示するブラウン管と、当該ブラウン管に備えられる垂直偏向コイルへのこぎり波電流を供給する垂直偏向回路と、各周波数の映像信号を受信するチューナとを備えるＣＲＴ表示装置であって、前記チューナのチューニング用電源に、前記垂直偏向回路に備えられるポンプアップ回路の出力電圧を使用したことを特徴とする。
【０００９】
上記構成によれば、チューナのチューニング用電源（一般的に３０Ｖ程度）として、垂直偏向回路に備えられるポンプアップ回路（垂直走査の帰線期間に電圧を上げるための回路）の出力電圧（一般的に５０Ｖ程度）が使用される。
【００１０】
請求項２のＣＲＴ表示装置は、請求項１記載のＣＲＴ表示装置であって、前記垂直偏向回路に備えられる前記ポンプアップ回路の出力端子から出力されるパルス状の電圧を、逆流防止回路によって逆流を防止した上で、平滑回路によって平滑化しさらに定電圧回路によって所定の電圧とし、前記チューナのチューニング用電源として使用することを特徴とする。
【００１１】
上記構成によれば、垂直偏向回路に備えられるポンプアップ回路の出力端子から出力されるパルス状の電圧が、逆流防止回路によって逆流を防止され、平滑回路によって平滑化され、定電圧回路によって所定の電圧とされた上で、チューナのチューニング用電源電圧として使用される。
【００１２】
請求項３のＣＲＴ表示装置は、請求項２記載のＣＲＴ表示装置であって、前記垂直偏向回路に備えられる前記ポンプアップ回路の出力端子に前記逆流防止回路となるダイオードのアノードを接続し、当該ダイオードのカソードに、コンデンサの一端がグランドに接続されることによって構成された前記平滑回路の前記コンデンサの他端を接続し、前記ダイオードのカソードに、抵抗を接続し、当該抵抗の他端に、ツェナーダイオードのアノードがグランドに接続されることによって構成された前記定電圧回路の前記ツェナーダイオードのカソードを接続し、当該ツェナーダイオードのカソードと前記チューナのチューニング用電源端子を接続したことを特徴とする。
【発明の効果】
【００１３】
本発明の請求項１の、映像を表示するブラウン管と、当該ブラウン管に備えられる垂直偏向コイルへのこぎり波電流を供給する垂直偏向回路と、各周波数の映像信号を受信するチューナとを備えるＣＲＴ表示装置であって、前記チューナのチューニング用電源に、前記垂直偏向回路に備えられるポンプアップ回路の出力電圧を使用したことを特徴とするＣＲＴ表示装置によれば、チューナのチューニング用電源（一般的に３０Ｖ程度）として、垂直偏向回路に備えられるポンプアップ回路の出力電圧（一般的に５０Ｖ程度）が使用されるため、チューニング用電圧を得るための降圧時の損失が少なく、装置の省電力が図られる。又、チューニング用電圧を得るための回路を構成する各素子に安価なもの（耐圧の低いもの）を使用することができ、装置のコスト低減が図られる。
【００１４】
本発明の請求項３の、前記垂直偏向回路に備えられる前記ポンプアップ回路の出力端子に前記逆流防止回路となるダイオードのアノードを接続し、当該ダイオードのカソードに、コンデンサの一端がグランドに接続されることによって構成された前記平滑回路の前記コンデンサの他端を接続し、前記ダイオードのカソードに、抵抗を接続し、当該抵抗の他端に、ツェナーダイオードのアノードがグランドに接続されることによって構成された前記定電圧回路の前記ツェナーダイオードのカソードを接続し、当該ツェナーダイオードのカソードと前記チューナのチューニング用電源端子を接続したことを特徴とする請求項２記載のＣＲＴ表示装置によれば、簡単且つ安価な回路構成にて、垂直偏向回路に備えられるポンプアップ回路の出力端子から出力されるパルス状の電圧を平滑化して所定の電圧へと変換し、チューニング用電源電圧としてチューナに供給することができるため、装置のコスト低減が図られる。
【発明を実施するための最良の形態】
【００１５】
以下、本発明の具体的実施例について、図面を参照しながら説明する。なお、以下の実施態様は、本発明を具体化する際の一形態であって、本発明をその範囲内に限定するためのものではない。
【００１６】
図１は、本実施例のＣＲＴ表示装置の本発明に関する部分のみを示したブロック図であり、図２は、同ＣＲＴ表示装置に備えられるチューナへのチューニング電圧供給用の回路の構成を示した回路ブロック図である。
【００１７】
本実施例のＣＲＴ表示装置１は、図１に示されるように、装置内の各部への電源供給を行うスイッチング電源回路１０１（図では簡略化し、主に、スイッチング電源回路１０１に備えられるスイッチングトランス１０１ａのみを示している）と、各周波数の映像信号（ＲＦ信号）を受信しＩＦ信号への変換を行うチューナ１０２と、装置全体の制御等を行うマイコン１０３と、チューナ１０２から入力される信号に含まれる同期信号（水平同期信号及び垂直同期信号）の抽出などを行う同期・偏向信号処理回路部１０４と、偏向コイル１１０を備えるＣＲＴ１０５と、映像信号をＣＲＴ１０５へ表示させるための処理を行う映像出力回路部１０６と、同期・偏向信号処理回路部１０４からの信号に基づき垂直偏向用のこぎり波形の生成及び偏向コイル１１０へののこぎり波電流の供給などを行う垂直偏向回路部１０７と、これと同様に水平偏向用のこぎり波形の生成及びのこぎり波電流の供給などを行う水平偏向回路部１０８と、ＣＲＴ１０５へ供給する高電圧を発生させるフライバックトランス１０９などを備える。
【００１８】
本実施例のＣＲＴ表示装置１に備えられるチューナ１０２への電源供給は、図１に示されるように、メイン電源（５Ｖ）がスイッチング電源回路１０１から供給（スイッチングトランス１０１ａに備えられる巻線１０１ａ１から供給）され（当該供給はマイコン１０３からの制御によりオン／オフされる）、チューニング電圧は垂直偏向回路部１０７から供給される。図２に、垂直偏向回路部１０７を構成する垂直偏向用ＩＣ２０から、チューナ１０２へチューニング電圧を供給するチューニング電圧供給回路２００を示した。
【００１９】
図２に示されるように、チューニング電圧供給回路２００は、逆流防止回路を構成するダイオード２１０と、平滑回路２２０と、定電圧回路２３０とによって構成される。詳細には、垂直偏向用ＩＣ２０（垂直偏向回路部１０７）に備えられるポンプアップ回路２０ａの出力端子２０ａ１にダイオード２１０のアノードを接続し、当該ダイオード２１０のカソードに、コンデンサ２２１の一端がグランドに接続されることによって構成された平滑回路２２０のコンデンサ２２１の他端を接続し、ダイオード２１０のカソードに抵抗２４０を接続し、当該抵抗２４０の他端に、ツェナーダイオード２３１のアノードがグランドに接続されることによって構成された定電圧回路２３０のツェナーダイオード２３１のカソードを接続し、当該ツェナーダイオード２３１のカソードとチューナ１０２のチューニング用電源端子１０２ａとが接続されることによって構成される。なお、ポンプアップ回路２０ａは、垂直走査の帰線期間において電圧を上げるための回路であり、ピーク値が２７Ｖで周期が垂直同期信号と同一であるパルス波（垂直偏向用ＩＣ２０内で生成されるパルス波）に垂直偏向用ＩＣ２０への入力電圧（本実施例では２７Ｖ）を加算して昇圧しており、当該ポンプアップ回路２０ａの出力電圧はパルス状の波形（図３（ａ））となる。
【００２０】
図３には、図２中の各点における電圧波形の概略を示した。図２中のＡ点（ポンプアップ回路２０ａの出力）では、図３（ａ）に示されるようにピーク値が垂直偏向用ＩＣ２０への入力電圧（２７Ｖ）の約２倍となる約５４Ｖ（ダイオード等による電圧降下により入力電圧の２倍とはならないため“約”としている）であって周期が垂直同期信号と同じとなるパルス波となる。図２中のＢ点では、図３（ｂ）に示されるように、図３（ａ）のパルス波が平滑化された波形となり、図２中のＣ点では、図３（ｃ）に示されるように、抵抗２４０と定電圧回路のツェナーダイオード２３１とによって所定のチューニング電圧（本実施例では３２Ｖ）とされる。
【００２１】
以上のごとく、本実施例のＣＲＴ表示装置１によれば、チューナ１０２のチューニング用電源（３２Ｖ）として、垂直偏向回路部１０７（垂直偏向用ＩＣ２０）に備えられるポンプアップ回路２０ａの出力電圧（ピーク値約５４Ｖのパルス波）が使用されるため、チューニング用電圧を得るための降圧時の損失が少なく、装置の省電力化が図られる（本実施例では、垂直偏向用ＩＣ２０への電力供給をフライバックトランス１０９から行っており、装置のスタンバイ状態時には、自動的にチューナ１０２へのチューニング用電源電圧の供給も停止されるため、より省電力化が図られる）。又、チューニング用電圧を得るための回路（チューニング電圧供給回路２００）が、簡単な回路構成にて実現されると共に、チューニング電圧供給回路２００を構成する各素子に安価なもの（耐圧が６０Ｖ以下のもの）を使用することができ、装置のコスト低減が図られる。
【図面の簡単な説明】
【００２２】
【図１】ＣＲＴ表示装置の本発明に関する部分のみを示したブロック図
【図２】ＣＲＴ表示装置に備えられるチューナへのチューニング電圧供給用の回路の構成を示した回路ブロック図
【図３】図２中の各点における電圧波形の概略を示した図
【符号の説明】
【００２３】
１      ＣＲＴ表示装置
２０ａ  ポンプアップ回路
１０１  スイッチング電源回路
１０１ａ  スイッチングトランス
１０２  チューナ
１０５  ＣＲＴ（ブラウン管）
１０７  垂直偏向回路部
１１０  偏向コイル
２１０  ダイオード（逆流防止回路）
２２０  平滑回路
２２１  コンデンサ
２３０  定電圧回路
２３１  ツェナーダイオード
２４０  抵抗
【図１】
2006203394.tif 000003
【図２】
2006203394.tif 000004
【図３】
2006203394.tif 000005